(57)【要約】【課題】スイートエリアをより拡大すること。【解決手段】フェース部と、クラウン部と、ソール部と、サイド部とを含む中空のゴルフクラブヘッドであって、前記フェース部の裏面のトウ側周縁部及びヒール側周縁部の少なくともいずれか一方の周縁部に、複数の溝がフェース中央部側から外方へ向かって配列された多重溝部を形成した。【選択図】図３
2014113267.tif 000002
【特許請求の範囲】
【請求項１】
フェース部と、クラウン部と、ソール部と、サイド部とを含む中空のゴルフクラブヘッドであって、
前記フェース部の裏面のトウ側周縁部及びヒール側周縁部の少なくともいずれか一方の周縁部に、複数の溝がフェース中央部側から外方へ向かって配列された多重溝部を形成した、
ことを特徴とするゴルフクラブヘッド。
【請求項２】
前記フェース中央部側の前記溝の方が、前記外方側の前記溝よりも相対的に全長が長い、
ことを特徴とする請求項１に記載のゴルフクラブヘッド。
【請求項３】
前記クラウン部側の方が、前記ソール部側よりも、単位面積あたりの前記溝の数が多い、
ことを特徴とする請求項２に記載のゴルフクラブヘッド。
【請求項４】
前記複数の溝は、それぞれ、前記フェース部の輪郭形状に沿って湾曲して形成されている、
ことを特徴とする請求項１に記載のゴルフクラブヘッド。
【請求項５】
前記多重溝部は少なくとも前記トウ側周縁部に形成され、
前記トウ側周縁部の前記多重溝部の前記複数の溝は、前記クラウン部側から前記サイド部側に渡って形成されている、
ことを特徴とする請求項４に記載のゴルフクラブヘッド。
【請求項６】
前記複数の溝は、
前記フェース中央部側の前記溝の方が、前記外方側の前記溝よりも相対的に前記ソール部側で前記フェース中央部側に延びている、
ことを特徴とする請求項４又は５に記載のゴルフクラブヘッド。
【請求項７】
前記ゴルフクラブヘッドは、前記フェース部を含むフェース部材を含む複数の部材を互いに溶接して形成され、
前記フェース部材は、
前記フェース部の端縁からバック側に延びる延設部を含む、
ことを特徴とする請求項１乃至６のいずれか１項に記載のゴルフクラブヘッド。
【発明の詳細な説明】
【技術分野】
【０００１】
本発明は中空のゴルフクラブヘッドに関する。
【背景技術】
【０００２】
ドライバーやフェアウエイウッドに代表される中空のゴルフクラブヘッドでは、フェース部の肉厚の調整や溝の形成により、飛距離性能等を改善したものが提案されている（例えば特許文献１）。
【先行技術文献】
【特許文献】
【０００３】
【特許文献１】特開２００４−１８７７９８号公報
【発明の概要】
【発明が解決しようとする課題】
【０００４】
ドライバーやフェアウエイウッドに代表される中空のゴルフクラブヘッドでは、その飛距離性能が重視される場合が多く、より安定した飛距離が得られることが望まれる。より安定した飛距離を得るためには、スイートエリアを広くして、オフセンターヒット時の飛距離の減少を少なくすることが挙げられる。しかし、フェース部の隅部周辺では、構造的に撓みが得られにくく、スイートエリアが広がり難いという問題がある。
【０００５】
本発明の目的は、スイートエリアをより拡大することにある。
【課題を解決するための手段】
【０００６】
本発明によれば、フェース部と、クラウン部と、ソール部と、サイド部とを含む中空のゴルフクラブヘッドであって、前記フェース部の裏面のトウ側周縁部及びヒール側周縁部の少なくともいずれか一方の周縁部に、複数の溝がフェース中央部側から外方へ向かって配列された多重溝部を形成した、ことを特徴とするゴルフクラブヘッドが提供される。
【発明の効果】
【０００７】
本発明によれば、スイートエリアをより拡大することができる。
【図面の簡単な説明】
【０００８】
【図１】本発明の一実施形態に係るゴルフクラブヘッドの斜視図。
【図２】図１のゴルフクラブヘッドの分解斜視図。
【図３】フェース部材の背面図。
【図４】図３の線Ｉ−Ｉに沿う断面図。
【発明を実施するための形態】
【０００９】
図１は本発明の一実施形態のゴルフクラブヘッド１０の斜視図、図２はゴルフクラブヘッド１０の分解斜視図である。図２において、殻部材２の一部は破断図となっている。各図において、矢印ｄ１はフェース−バック方向を、矢印ｄ２はトウーヒール方向をそれぞれ示している。
【００１０】
本実施形態の場合、ゴルフクラブヘッド１０は図２に示すように複数の殻部材１乃至３を接合して形成される中空体をなしており、その周壁が、フェース面（打撃面）を形成するフェース部１１、ゴルフクラブヘッド１０の上部、底部、側部をそれぞれ形成するクラウン部１２、ソール部１３及びサイド部１４を構成している。サイド部１４はトウ側、バック側、ヒール側の各部を有している。フェース部１１にはトウ−ヒール方向に延びるスコアライン１１ａが複数、形成されている。また、ゴルフクラブヘッド１０はシャフトが取付けられるホゼル部１５を備える。
【００１１】
ゴルフクラブヘッド１０はドライバ用のゴルフクラブヘッドであるが、本発明はドライバ以外のフェアウェーウッド等も含むウッド型のゴルフクラブヘッド、ユーティリティ型（ハイブリッド型）のゴルフクラブヘッド、その他の中空のゴルフクラブヘッドに適用可能である。ゴルフクラブヘッド１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１２】
殻部材１乃至３の接合方法としては、溶接、接着等が挙げられるが接合強度の点で溶接が好適である。本実施形態の場合、殻部材１はゴルフクラブヘッド１０の本体部を構成しており、クラウン部１２の一部、ソール部１３の大部分、サイド部１４の大部分並びにホゼル部１５を含む部材である。殻部材３は、クラウン部１２の大部分を含むクラウン部材である。
【００１３】
殻部材２は、フェース部１１を含むフェース部材である。本実施形態の場合、殻部材２は、フェース部１１の端縁からバック側に延びる延設部２ａ〜２ｃを備えたカップ状の部材となっている。延設部２ａ〜２ｃは、クラウン部１２、ソール部１３及びサイド部１４のフェース部１１側の一部分を形成する。すなわち、延設部２ａはクラウン部１２の一部を形成し、延設部２ｂはソール部１３の一部を形成する。そして、延設部２ｃはサイド部１４の一部を形成する。
【００１４】
ここで、隅部ＣＲやホゼル部１５の周辺のようにフェース部１１の隅部周辺では、構造的に撓みが得られにくく、フェース部１１のスイートエリアを広くしずらい。そこで、本実施形態ではフェース部１１の裏面の特定の部分に溝を多重的に形成している。図３は殻部材２の背面図であり、フェース部１１の裏面１１’が図示されている。図４は図３の線Ｉ−Ｉに沿う断面図である。
【００１５】
本実施形態の場合、裏面１１’のトウ側周縁部に多重溝部２０を、ヒール側周縁部に多重溝部３０を、それぞれ形成している。多重溝部２０は、複数の有底溝２１〜２８から構成され、多重溝部３０は複数の有底溝３１〜３５から構成されている。
【００１６】
複数の溝２１〜２８は、矢印ｄ１１で示すように、フェース中央部側から外方へ向かって配列されおり、本実施形態の場合、これらは等ピッチで形成されている。同様に、複数の溝３１〜３５は、矢印ｄ１２で示すように、フェース中央部側から外方へ向かって配列されおり、本実施形態の場合、これらは等ピッチで形成されている。
【００１７】
このような多重溝部２０、３０を、フェース部１１のトウ側周縁部、ヒール側周縁部に形成することで、構造的に撓みにくいこれらの部分を撓み易くすることができる。ここで、これらの周縁部では、外方に行くほど（サイド部１４に近づくほど）、構造的に剛性が高くなる。そこで、矢印ｄ１１及びｄ１２で示すように溝の配列方向を、フェース中央部側から外方としている。これにより、単位面積あたりの溝数がフェース部１１の外方ほど多くなり、剛性を低下させる。この結果、フェース部１１がより広範囲で撓み易くなり、スイートエリアを広げることができる。また、トウ側周縁部やヒール側周縁部に溝を形成することで、スコアライン１１ａの形成部位と重ならず、フェース部１１の剛性が部分的に極端に低下することを防止することができる。
【００１８】
本実施形態の場合、トウ側周縁部の多重溝部２０の複数の溝２１〜２８は、クラウン部１２側からサイド部１２側に渡って形成されている。これは、剛性が高くなり易い隅部ＣＲ周辺の撓み向上に寄与する。
【００１９】
本実施形態の場合、溝２１〜２８及び溝３１〜３５は、それぞれ、フェース部１１の輪郭形状に沿って湾曲して形成されており、外方に向かって凸形状の曲線となっている。これは、フェース部１１を、より広範囲に渡って満遍なく撓み易くさせ、スイートエリアをバランスよく拡大することを可能とする。
【００２０】
また、本実施形態の場合、フェース中央部側の溝の方が、外方側の前記溝よりも相対的に全長が長くなっている。例えば、溝２１〜２８についていえば、溝２１、溝２２、．．．溝２８の順に全長が長い。また、溝３１〜３５についていえば、溝３１、３２．．．溝３５の順に全長が長い。これは、フェース部１１と、サイド部１４との境界部分における剛性が極端に低下することを防止しつつ、フェース部１１を、より広範囲に渡って満遍なく撓み易くさせることを可能とする。
【００２１】
また、本実施形態の場合、クラウン部１２側の方が、ソール部１３側よりも、単位面積あたりの溝の数を多くしている。換言すると、各溝は、フェース部１１の上下方向上端では、略同じ位置から下方へ延びているが、下端の位置は異なっている。例えば、溝２１と溝２８とは、上端位置は略同じ高さであるが、下端位置は溝２１の方がソール部１３に大きく近づいている。これは、フェース部１１のクラウン側１２を多く撓ませて打ち出し角を大きくすることに寄与する。打ち出し角の増大は飛距離アップに寄与する。
【００２２】
また、本実施形態の場合、フェース中央部側の溝の方が、外方側の溝よりも相対的にソール部１３側でフェース中央部側に延びている。例えば、溝２１と溝２８とを、トウ−ヒール方向（矢印ｄ２方向）で比較すると、溝２１の方がその下端位置が、溝２８よりもソール部１３側でフェース中央部側に延びている。これは、これは、フェース部１１と、ソール部１３との境界部分における剛性が極端に低下することを防止しつつ、フェース部１１を、より広範囲に渡って満遍なく撓み易くさせることを可能とする。
【００２３】
本実施形態では、フェース部１１のトウ側周縁部とヒール側周縁部との双方に、多重溝部を設けたが、いずれか一方でもよい。例えば、トウ側周縁部でのみフェース部１１の撓みが悪い場合には、トウ側周縁部にのみ多重溝部を設ければよい。逆に、ヒール側周縁部でのみフェース部１１の撓みが悪い場合には、ヒール側周縁部にのみ多重溝部を設ければよい。
【００２４】
多重溝部２０、３０の各溝の形成は、鋳造による成型、酸洗い、切削工具による機械加工、プレス加工等が挙げられる。各溝の深さはフェース部１１の剛性が極端に低下させない範囲で適宜選択できる。
【００２５】
本実施形態では、ゴルフクラブヘッド１０を３つの殻部材１乃至３から構成したが、その分割数は、これに限られず、２つであっても、４つ以上であってもよい。その際、フェース部１１を形成する殻部材については、本実施形態の殻部材２のように延設部２ａ〜２ｃを有するカップ状に形成することが好ましい。これは、例えば、他の殻部材との接合に際して、溶接を採用する場合、溶接によって多重溝部２０、３０の各溝が潰れてしまうことを防止できる点で有利である。
【図１】
2014113267.tif 000003
【図２】
2014113267.tif 000004
【図３】
2014113267.tif 000005
【図４】
2014113267.tif 000006